(57)【要約】【課題】簡易な構成で原稿搬送装置内の読取位置周辺に帯電する静電気や電磁波を除去できる原稿搬送装置、画像読取装置及び画像形成装置を得ることである。【解決手段】給紙された原稿を搬送方向下流側の原稿の読取位置４２まで搬送する第１搬送手段（読取入口ローラ）８、９と、読取の終了した原稿を搬送方向下流側に搬送する第２搬送手段（読取出口ローラ）１０、１１と、電気的に接地された導通手段５０とを備え、導通手段５０は第１搬送手段８、９及び第２搬送手段１０、１１のそれぞれに導通している。【選択図】図１
2007302439.tif 000002
【特許請求の範囲】
【請求項１】
給紙された原稿を搬送方向下流側の読取位置まで搬送する第１搬送手段と、原稿読取位置の搬送方向下流側に位置して読取の終了した原稿を搬送方向下流側に搬送する第２搬送手段と、電気的に接地された導通手段とを備え、導通手段は第１搬送手段及び第２搬送手段のそれぞれに導通していることを特徴とする原稿搬送装置。
【請求項２】
導通手段は第１搬送手段と導通する第１導通部と、第２搬送手段と導通する第２導通部とを備え、筐体には電気的に接地した導電性のフレームが設けられており、第１導通部及び第２導通部が導電性フレームと一体になっていることを特徴とする請求項１に記載の原稿搬送装置。
【請求項３】
第１搬送手段及び第２搬送手段は回転ローラであり、回転ローラはローラ本体と回転軸とを備え、ローラ本体及び回転軸は導電性の部材であることを特徴とする請求項１に記載の原稿搬送装置。
【請求項４】
第１導通部及び第２導通部は、それぞれ回転ローラのローラ本体及び回転軸の両方に導通していることを特徴とする請求項３に記載の原稿搬送装置。
【請求項５】
請求項１〜４の何れか一項に記載の原稿搬送装置と、原稿読取位置に搬送された原稿を読み取る原稿読取部とを備えていることを特徴とする画像読取装置。
【請求項６】
請求項５に記載の画像読取装置と、転写材を収納した給紙部と、像担持体表面にトナー像を形成する画像形成部と、転写材に転写されたトナー像を定着させる定着部とを備えたことを特徴とする画像形成装置。
【発明の詳細な説明】
【技術分野】
【０００１】
本発明は、原稿搬送装置、画像読取装置及び画像形成装置に関する。
【背景技術】
【０００２】
特許文献１には、原稿搬送装置において、読取位置付近の原稿搬送経路に沿ってシート状の導通手段を設け、原稿の読取位置周辺に帯電する静電気を除去する技術が開示されている。
【０００３】
一方、特許文献２には、画像形成装置内における転写材の搬送ローラに導通手段を設け、搬送ローラに帯電する静電気を除去する技術が開示されている。
【０００４】
【特許文献１】特開２００３−３３３２７７号公報
【特許文献２】特開２００３−１２１８０号公報
【発明の開示】
【発明が解決しようとする課題】
【０００５】
しかし、特許文献１に記載の従来技術では、読取位置付近の原稿搬送経路内にシート状の導通手段を設けているため、導通手段が原稿搬送の邪魔になると共に構成が複雑になるという問題があった。
【０００６】
一方、特許文献２に記載の従来技術では、搬送ローラに帯電する静電気を除去しているが、原稿搬送装置の読取位置周辺に帯電する静電気や電磁波を除去するものではない。
【０００７】
本発明は、簡易な構成で原稿搬送装置内の読取位置周辺に帯電する静電気や電磁波を除去できる原稿搬送装置、画像読取装置及び画像形成装置を得ることを目的とする。
【課題を解決するための手段】
【０００８】
前記課題を解決するために、請求項１に記載された発明は、給紙された原稿を搬送方向下流側の読取位置まで搬送する第１搬送手段と、原稿読取位置の搬送方向下流側に位置して読取の終了した原稿を搬送方向下流側に搬送する第２搬送手段と、電気的に接地された導通手段とを備え、導通手段は第１搬送手段及び第２搬送手段のそれぞれに導通していることを特徴とする。
【０００９】
請求項２に記載された発明は、請求項１に記載の発明において、導通手段は第１搬送手段と導通する第１導通部と、第２搬送手段と導通する第２導通部とを備え、筐体には電気的に接地した導電性のフレームが設けられており、第１導通部及び第２導通部が導電性フレームと一体になっていることを特徴とする。
【００１０】
請求項３に記載された発明は、請求項１に記載の発明において、第１搬送手段及び第２搬送手段は回転ローラであり、回転ローラはローラ本体と回転軸とを備え、ローラ本体及び回転軸は導電性の部材であることを特徴とする。
【００１１】
請求項４に記載された発明は、請求項３に記載の発明において、第１導通部及び第２導通部は、それぞれ回転ローラのローラ本体及び回転軸の両方に導通していることを特徴とする。
【００１２】
請求項５に記載された発明は、請求項１〜４の何れか一項に記載の原稿搬送装置と、原稿読取位置に搬送された原稿を読み取る原稿読取部とを備えていることを特徴とする。
【００１３】
請求項６に記載された発明は、請求項５に記載の画像読取装置と、転写材を収納した給紙部と、像担持体表面にトナー像を形成する画像形成部と、転写材に転写されたトナー像を定着させる定着部とを備えたことを特徴とする。
【発明の効果】
【００１４】
本発明によれば、原稿搬送装置内における原稿の読取位置の搬送方向上流側にある第１搬送手段及び原稿の読取位置の搬送方向下流側にある第２搬送手段がそれぞれ電気的に接地されているので、簡易な構成で原稿の読取位置周辺に帯電した静電気や電磁波を除去することができる。
【発明を実施するための最良の形態】
【００１５】
以下に、添付図面を参照して、本発明の実施の形態を詳細に説明する。まず、図１〜図３を用いて第１実施の形態について説明する。尚、図１は図２に示す原稿搬送装置の読取位置周辺を抜き出して示す概略図、図２は本実施の形態に係る原稿搬送装置の全体概略図、図３は図２に示す原稿搬送装置を備えた画像形成装置の概略図である。
【００１６】
以下に、添付図面を参照して本発明の実施の形態を詳細に説明する。複写機、プリンタ、ＦＡＸ等の画像形成装置に搭載される原稿搬送装置１００は、原稿束をセットする原稿セット部Ａと、セットされた原稿束から１枚毎原稿を分離して給送する分離給送部Ｂと、給送された原稿を一次突き当て整合する働きと整合後の原稿を引き出し搬送する働きのレジスト部Ｃと、搬送される原稿をターンさせて、原稿面を読取側（下方）に向けて搬送するターン部Ｄと、原稿の画像を読取ガラス４１の下方より読取る読取搬送部Ｅと、原稿の第２面（裏面）を読取る為の反転スイッチバック又は原稿の機外排出を行う反転排紙部（スイッチバック部）Ｆと、読み取り完了後の原稿を積載保持するスタック部（排紙部）Ｇを備えている。
【００１７】
原稿セット部Ａは、原稿束Ｐが載置される原稿セットテーブル１と、原稿セットテーブル１に載置された原稿先端が突き当てられる原稿ストッパ２と、原稿セットテーブル１に原稿が載置されたことを検知する原稿セットフィラー３１と、原稿セットテーブル１に載置された原稿のサイズを検知する原稿長さ検知センサ２０〜２２、原稿セットセンサ１９とを有している。
【００１８】
分離給送部Ｂは、原稿束Ｐの原稿を呼び出すピックアップローラ３と、呼び出された原稿を搬送路に向けて１枚ずつ分離して搬送する分離ローラ４及び給紙ベルト５と、これらの分離ローラ４及び給紙ベルト５から送り出された原稿を検知する分離センサ２３とを有している。
【００１９】
レジスト部Ｃは、分離給送部Ｂから搬送された原稿をターン部Ｄに向けて搬送するプルアウトローラ６、７と、このプルアウトローラ６、７に向けて搬送される原稿を検知する突き当てセンサ２４と、プルアウトローラ６、７から排出された原稿の幅方向長さを検知する原稿幅センサ２５とを有している。
【００２０】
ターン部Ｄは、読取入口センサ２６と、読取位置４２の搬送方向上流側における近傍に位置し、レジスト部Ｃから搬送された原稿を読取位置４２に向けて搬送する読取入口ローラ（第１搬送手段）８、９と、読取入口ローラ８、９から搬送される原稿を検知するレジストセンサ２７とを有している。尚、読取入口ローラの駆動ローラ（回転ローラ）８はローラ本体８ａと回転軸８ｂとを備え、ローラ本体８ａは導電性樹脂であり、回転軸８ｂは金属製である。
【００２１】
読取搬送部Ｅは、読取ガラス４１と、読取入口ローラ８、９から搬送された原稿を読取ガラス４１と白色背景板４４との間に案内する読取入口ガイド４０と、搬送方向下流側における読取位置４２の近傍に位置し、読取位置４２を通過した原稿を反転排紙部Ｆに向けて搬送する読取出口ローラ（第２搬送手段）１０、１１と、読取出口ローラ１０、１１を通過した原稿を検知する排紙センサ２９と、読取の終了した原稿に対して読取終了印を押印する済みスタンプ部４６を有している。尚、読取出口ローラの駆動ローラ（回転ローラ）１０は、ローラ本体１０ａと回転軸１０ｂとを備え、ローラ本体１０ａは導電性の樹脂であり、回転軸１０ｂは金属製である。
【００２２】
反転排紙部Ｆは、読取出口ローラ１０、１１から搬送された原稿の搬送先を反転経路又はスイッチバック経路の何れかに振り分ける分岐爪１５と、この分岐爪１５によりスイッチバック経路に搬送された原稿をスイッチバックさせる反転ローラ対１６、１７と、反転ローラ対１６、１７の近傍位置に設けた反転センサ３０と、排紙ローラ１２、排紙下従動ローラ１３、排紙上従動ローラ１８とを有している。
【００２３】
スタック部Ｇは、排紙ローラ１２及び排紙下従動ローラ１３から排紙された原稿がスタックされる排紙トレイ１４を備えている。
【００２４】
次に、原稿の読取位置の近傍位置に設けた導通手段５０について説明する。図１に示すように、導通手段５０は、読取入口ローラの駆動ローラ８と導通する第１導通部５１と、取出口ローラの駆動ローラ１０と導通する第２導通部５３と、第１導通部５１及び第２導通部５３が固定された長尺状の導電性フレーム５５とを備えている。導電性フレーム５５は原稿搬送装置内の筐体５２に設けられた固定板５４に取り付けられている。固定板５４は接地されている。なお、第１導通部５１、第２導通部５３、導電性フレーム５５及び固定板５４は導電性の部材で構成されている。第１導通部５１及び第２導通部５３の下端には除電ブラシ５７、５９がそれぞれ設けられており、各除電ブラシ５７、５９は駆動ローラ８、１０の回転軸８ｂ、１０ｂの外周に接触している。
【００２５】
図３に示すように画像形成装置８０は、装置本体の上部に設けた画像読取装置７０と、装置本体に設けられた給紙部８１、感光体（像担持体）８５表面にトナー像を形成する画像形成部８２と、転写材に転写されたトナー像を定着させる定着部８３等を備えている。そして、原稿搬送装置１００において原稿セットテーブル１から搬送されてくる原稿を読取センサ２８で読取って、感光体８５に静電潜像を形成し、現像装置８６で現像した後、給紙部８１から給紙された転写材に対して画像形成を行い、定着部８３で未定着トナーを定着させて転写材を機外に排出している。
【００２６】
次に、本発明の第１実施形態における原稿搬送装置の作用及び効果について説明する。原稿セットテーブル１にセットされた原稿束Ｐは、分離ローラ４及び給紙ベルト５にて上から分離して１枚ずつ搬送され、搬送された原稿は読取入口ローラ８、９を通過して読取位置４２に搬送され、原稿読取部８４の読取センサ２８で原稿の読取が行われる。尚、搬送される原稿表面にはプルアウトローラ６、７等との接触によって静電気が帯電しているが、読取入口ローラ８、９を原稿が通過することで、原稿に帯電した静電気は読取入口ローラの駆動ローラ８のローラ本体８ａ及び回転軸８ｂを通じて、第１導通部５１の除電ブラシ５７に移動し、その後、導電性フレーム５５から筐体５２に設けられた固定板５４を通じて機外に逃がされる。
【００２７】
読取を終えた原稿は、読取出口ローラ１０、１１と排紙ローラ対１２、１３を経て、排紙トレイ１４に排紙、スタックされる。このとき、読取出口ローラ１０、１１を原稿が通過することで、原稿に帯電した静電気は読取出口ローラの駆動ローラ１０のローラ本体１０ａ及び回転軸１０ｂを通じて、第２導通部５３の除電ブラシ５９に移動し、その後、導電性フレーム５５から筐体５２に設けられた固定板５４を通じて機外に逃がされる。
【００２８】
裏面の原稿を読む場合は、切替爪１５が下降して反転ローラ対１６、１７によりスイッチバックし、スイッチバック経路を通過してプルアウトローラ対６、７に達し、原稿表面と同様の読取動作を行ったあと、ページ整合のため、もう一度切替爪１５が降下してスイッチバック動作を行い、（今度は露光されないまま）排紙ローラ対１２、１３を経て排紙トレイ１４に排紙、スタックされる。
【００２９】
原稿搬送装置内の読取位置４２及びその周辺に位置する読取ガラス４１、白色背景板４４、読取位置４２の上流側に位置する搬送ガイド４０、読取位置４２の下流側に位置する搬送ガイド６２等に帯電した静電気や、読取位置４２及びその周辺に滞留した電磁波も、読取入口ローラの駆動ローラ８及び読取出口ローラの駆動ローラ１０を通じて除去することができる。
【００３０】
本実施の形態によれば、原稿搬送装置内における原稿の読取位置４２の搬送方向上流側にある読取入口ローラの駆動ローラ８及び読取出口ローラの駆動ローラ１０がそれぞれ電気的に接地されているので、簡易な構成で原稿の読取位置４２の周辺に帯電した静電気や電磁波を除去することができる。
【００３１】
読取位置４２に搬送される原稿に帯電した静電気を、その上流位置の読取入口ローラ８で除去しているので、読取位置４２に搬送される原稿に帯電した静電気による読取センサ２８への悪影響を防止できる。
【００３２】
第１導通部５１及び第２導通部５３が導電性フレーム５５と一体になっているので、導電性フレーム５５を固定板５４に固定するだけで良く、取り付けが簡単である。
【００３３】
読取入口ローラの駆動ローラ８及び読取出口ローラの駆動ローラ１０のローラ本体８ａ、１０ａ及び回転軸８ｂ、１０ｂはそれぞれ導電性の部材であるので、ローラ本体８ａ、１０ａに帯電した静電気をローラ本体８ａ、１０ａから回転軸８ｂ、１０ｂ及び除電ブラシ５７、５９を通じてスムーズに除去することができる。
【００３４】
次に、他の実施の形態を説明するが、以下の説明において、上述した第１実施の形態と同一の作用効果を奏する部分には同一の符号を付することにより、その部分の詳細な説明を省略し、以下の説明では上述の第１実施の形態と異なる点を主に説明する。尚、第２及び第３実施の形態では、読取入口ローラの駆動ローラ８の構成のみについて説明し、読取出口ローラの駆動ローラ１０の構成は読取入口ローラの駆動ローラ８と同様の構成とする。
【００３５】
図４に示すように、第２実施の形態では、第１導電部５１の下端位置と第１導電部５１の側部にそれぞれ導電ブラシ５７a、５７ｂを設けている。第１導電部５１の下端位置に設けた導電ブラシ５７ａを回転軸８ｂに接触させると共に、第１導電部５１の側部位置に設けた導電ブラシ５７ｂをローラ本体８ａの側部８ｃに接触させている。
【００３６】
本実施の形態では、駆動ローラ８の回転軸８ｂとローラ本体８ａの両方から静電気や電磁波を除去することができるので、静電気や電磁波の除去効果を高めることができる。
【００３７】
図５に示すように、第３実施の形態では第１導電部５１の側部に導電ブラシ５７ｂを設けて、導電ブラシ５７ｂをローラ本体８ａの側部８ｃに接触させている。
【００３８】
本実施の形態では、導電ブラシ５７ｂをローラ本体８ａの側部８ｃに接触させているので、ローラ本体８ａの表面に帯電した静電気を効率よく除去することができる。
【００３９】
なお、本発明は、前述した実施形態に限定されることなく、その要旨を逸脱しない範囲で種々変形して実施できることは言うまでもない。
【００４０】
上述の第１実施形態において、読取入口ローラの駆動ローラ８及び読取出口ローラの駆動ローラ１０に除電ブラシ５７、５９を接触させているが、これに限定されず、読取入口ローラの駆動ローラ８及び従動ローラ９、読取出口ローラの駆動ローラ１０及び従動ローラ１１のすべてに除電ブラシを接触させるようにしても良い。
【００４１】
読取入口ローラ及び読取出口ローラの従動ローラ９、１１に除電ブラシを接触させるようにしても良い。
【図面の簡単な説明】
【００４２】
【図１】図２に示す原稿搬送装置の読取位置周辺を抜き出して示す概略図である。
【図２】本実施の形態に係る原稿搬送装置の全体概略図である。
【図３】図２に示す原稿搬送装置を備えた画像形成装置の概略図である。
【図４】第２実施の形態に係る原稿搬送装置の搬送手段を示す断面図である。
【図５】第３実施の形態に係る原稿搬送装置の搬送手段を示す断面図である。
【符号の説明】
【００４３】
８、９        読取入口ローラ（第１搬送手段）
８ａ、１０ａ  ローラ本体
８ｂ、１０ｂ  回転軸
１０、１１    読取出口ローラ（第２搬送手段）
５１          第１導通部
５２          筐体
５３          第２導通部
５５          導電性フレーム
７０          画像読取装置
８０          画像形成装置
１００        原稿搬送装置
【図１】
2007302439.tif 000003
【図２】
2007302439.tif 000004
【図３】
2007302439.tif 000005
【図４】
2007302439.tif 000006
【図５】
2007302439.tif 000007